(57)【要約】【課題】係合付勢する構成としたとしても、従来通り所定回動位置で確実にクリックできると共に、クリック（係合保持）間では転がり接触による転がり抵抗とすることで、回動トルク（回動抵抗）をゼロに近くでき、回動動作を軽く（スムーズに）でき、また磨耗が少なく耐久性にも秀れるなど画期的なヒンジ装置並びにヒンジ装置を用いた電子機器を提供すること。【解決手段】第一部材１と第二部材２とを枢着するヒンジ装置であって、前記第一部材１若しくは第二部材２と共に回動する回動部３の外周部に、所定の回動位置を係合保持するための係合凹部４を設け、前記第二部材２若しくは第一部材１と共に回動して前記回動部３の外周部に沿って回動し、前記回動部３の外周部に設けた前記係合凹部４に落ち込み係合して所定の回動位置を係合保持する係合突部５を設け、この係合突部５を、前記回動部３の外周部に沿って相対回動するに際して自らも回転するボール体若しくはローラ体で構成したヒンジ装置。【選択図】　　　　図１
2004023469.tif 000002
【特許請求の範囲】
【請求項１】
第一部材と第二部材とを枢着するヒンジ装置であって、前記第一部材若しくは第二部材と共に回動する回動部の外周部に、所定の回動位置を係合保持するための係合凹部を設け、前記第二部材若しくは第一部材と共に回動して前記回動部の外周部に沿って回動し、前記回動部の外周部に設けた前記係合凹部に落ち込み係合して所定の回動位置を係合保持する係合突部を設け、この係合突部を、前記回動部の外周部に沿って相対回動するに際して自らも回転するボール体若しくはローラ体で構成したことを特徴とするヒンジ装置。
【請求項２】
前記ボール体若しくはローラ体で構成した前記係合突部を、前記回動部の外周部に弾圧当接させる弾性部材を前記係合突部に設けるか若しくは前記弾性部材に前記係合突部を設けたことを特徴とする請求項１記載のヒンジ装置。
【請求項３】
前記第一部材と共に回動する第一取付部若しくは前記第二部材と共に回動する第二取付部に前記回動部を設け、前記第二取付部若しくは前記第一取付部に前記ボール体若しくはローラ体で構成した前記係合突部を設け、前記第一部材に対して前記第二部材が相対回動する際、前記回動部に対して前記係合突部が前記回動部の外周部の回動接触部に接触しつつ相対回動し、前記回動部の外周部の前記係合凹部に前記係合突部が落ち込み係合した際、この相対回動位置が係合保持されるように構成したことを特徴とする請求項１，２のいずれか１項に記載のヒンジ装置。
【請求項４】
前記係合突部を対向位置に設けると共に、この係合突部に係合する前記係合凹部を前記回動部の外周部の対向位置に設けたことを特徴とする請求項１〜３のいずれか１項に記載のヒンジ装置。
【請求項５】
前記弾性部材の内側に前記係合突部を設け、この係合突部が係合する前記係合凹部を外周部に設けた前記回動部を前記弾性部材の内側に配設し、前記係合突部が前記回動部の外周部の回動接触部に当接した状態抗拡弾性を有する前記弾性部材の内方への戻り弾性によって、前記係合突部は前記回動接触部に弾圧当接し、前記係合突部が前記係合凹部に位置したときこの戻り弾性によって係合突部は係合凹部に落ち込み係合するように構成し、この係合突部が係合凹部から係脱する際には、前抗拡弾性に抗して係脱して前記係合突部が前記回動接触部に再び弾圧当接するように構成したことを特徴とする請求項２，４記載のヒンジ装置。
【請求項６】
前記請求項１〜５のいずれか１項に記載のヒンジ装置を枢着部に用いたことを特徴とするヒンジ装置を用いた電子機器。
【発明の詳細な説明】
【０００１】
【発明の属する技術分野】
本発明は、例えば所定の回動位置が係合保持されるヒンジ装置、並びにこのヒンジ装置を用いて、例えばキー操作部を有する本体部と、ディスプレイ部を有する蓋部とを開閉回動自在に連結した携帯電話やノート型パソコンなどの電子機器に関するものである。
【０００２】
【従来の技術及び発明が解決しようとする課題】
従来、所定の回動位置が係合保持（クリック）されるように構成したヒンジ装置は、一方の部材（第一部材）に対して回り止め状態に設けられこの一方の部材と共に回動する回動部に係合凹部を設け、他方の部材（第二部材）に対して回り止め状態に設けられこの他方の部材と共に回動する回動部に前記係合凹部に係合する係合突部を設け、この回動部に係合付勢する皿バネなどを複数重合した付勢体（弾性部材）を設けて、第一部材に対して第二部材を回動させると、皿バネによる係合付勢に抗して係合突部と係合凹部との係合が係脱して相対回動し、所定回動位置で係合突部と係合凹部とが係合付勢によって係合することで、その回動位置が再びクリックされるように構成している。
【０００３】
このように従来の所定回動位置でクリックするヒンジ装置では、単に皿バネなどを重ねて弾圧付勢された係合突部と係合凹部との係合により保持する構成のため、皿バネの重合によってヒンジ装置が厚くあるいは長くなり小型化を図れないばかりでなく、クリック間では、バネが最も圧縮された状態で係合突部が回動面に弾圧当接するために、大きな回転トルク（回動抵抗）を生じ、回転動作を軽くできない。
【０００４】
また、この回動抵抗のため、磨耗も避けられず、耐久性が悪いという欠点も生じていた。
【０００５】
本発明は、このような問題点を解決したもので、係合付勢する構成としたとしても、従来通り所定回動位置で確実にクリックできると共に、クリック（係合保持）間では転がり接触による転がり抵抗となることで、回動トルク（回動抵抗）をゼロに近くでき、回動動作を軽く（スムーズに）でき、また磨耗が少なく耐久性にも秀れるなど画期的なヒンジ装置並びにヒンジ装置を用いた電子機器を提供することを目的としている。
【０００６】
【課題を解決するための手段】
添付図面を参照して本発明の要旨を説明する。
【０００７】
第一部材１と第二部材２とを枢着するヒンジ装置であって、前記第一部材１若しくは第二部材２と共に回動する回動部３の外周部に、所定の回動位置を係合保持するための係合凹部４を設け、前記第二部材２若しくは第一部材１と共に回動して前記回動部３の外周部に沿って回動し、前記回動部３の外周部に設けた前記係合凹部４に落ち込み係合して所定の回動位置を係合保持する係合突部５を設け、この係合突部５を、前記回動部３の外周部に沿って相対回動するに際して自らも回転するボール体若しくはローラ体で構成したことを特徴とするヒンジ装置に係るものである。
【０００８】
また、前記ボール体若しくはローラ体で構成した前記係合突部５を、前記回動部３の外周部に弾圧当接させる弾性部材６を前記係合突部５に設けるか若しくは前記弾性部材６に前記係合突部５を設けたことを特徴とする請求項１記載のヒンジ装置に係るものである。
【０００９】
また、前記第一部材１と共に回動する第一取付部７若しくは前記第二部材２と共に回動する第二取付部８に前記回動部３を設け、前記第二取付部８若しくは前記第一取付部７に前記ボール体若しくはローラ体で構成した前記係合突部５を設け、前記第一部材１に対して前記第二部材２が相対回動する際、前記回動部３に対して前記係合突部５が前記回動部３の外周部の回動接触部９に接触しつつ相対回動し、前記回動部３の外周部の前記係合凹部４に前記係合突部５が落ち込み係合した際、この相対回動位置が係合保持されるように構成したことを特徴とする請求項１，２のいずれか１項に記載のヒンジ装置に係るものである。
【００１０】
また、前記係合突部５を対向位置に設けると共に、この係合突部５に係合する前記係合凹部４を前記回動部３の外周部の対向位置に設けたことを特徴とする請求項１〜３のいずれか１項に記載のヒンジ装置に係るものである。
【００１１】
また、前記弾性部材６の内側に前記係合突部５を設け、この係合突部５が係合する前記係合凹部４を外周部に設けた前記回動部３を前記弾性部材６の内側に配設し、前記係合突部５が前記回動部３の外周部の回動接触部９に当接した状態抗拡弾性を有する前記弾性部材６の内方への戻り弾性によって、前記係合突部５は前記回動接触部９に弾圧当接し、前記係合突部５が前記係合凹部４に位置したときこの戻り弾性によって係合突部５は係合凹部４に落ち込み係合するように構成し、この係合突部５が係合凹部４から係脱する際には、前抗拡弾性に抗して係脱して前記係合突部５が前記回動接触部９に再び弾圧当接するように構成したことを特徴とする請求項２，４記載のヒンジ装置に係るものである。
【００１２】
また、前記請求項１〜５のいずれか１項に記載のヒンジ装置を枢着部に用いたことを特徴とするヒンジ装置を用いた電子機器に係るものである。
【００１３】
【発明の実施の形態】
好適と考える本発明の実施の形態（発明をどのように実施するか）を、図面に基づいてその作用効果を示して簡単に説明する。
【００１４】
第一部材１に対して第二部材２を相対回動すると、回動部３の外周部に沿って係合突部５が相対回動する。
【００１５】
この際、係合突部５は自らも回転するボール体若しくはローラ体としたため、たとえ外周部に付勢体（弾性部材６）による弾性により弾圧付勢されていても、転がり抵抗となるために大きな回動抵抗が生じず、また摩擦も少ないから、磨耗もほとんど生じず、耐久性に秀れる。
【００１６】
また、このように回動部３の外周部に沿って転動する係合突部５が回動部３の外周部の所定位置に設けた係合凹部４に位置すると、落ち込み係合してその回動位置が係合保持（クリック）されることとなる。再び回動すれば、この係合から係脱して再び係合突部５は転動しながら回動部３の外周部に沿って相対回動することとなる。
【００１７】
尚、例えばこの係合突部５が係合凹部４に落ち込み係合する途中を閉塞位置とすれば、閉塞位置で閉じ付勢が生じるように構成することができ、また係合突部５が転動する回動部３の外周部の形状の設定により、係合凹部４から次の係合凹部４へと係合突部５がこの外周部の形状と弾圧付勢によって回動付勢（カム付勢）されるように構成することも容易に設計可能である。
【００１８】
【実施例】
本発明の具体的な実施例について図面に基づいて説明する。
【００１９】
本実施例では、図６〜図８に示すように、キー操作部を有する本体部（第一部材１）と、ディスプレイ部を有する蓋部（第二部材２）とを略水平回動自在に枢着し、コンパクト化した重合閉塞状態から略９０度水平回動してキー操作部が露出した連設開放状態に切り替えるように構成した携帯電話の枢着部にヒンジ装置Ｈを用いたもので、重合閉塞位置からの過回動をストッパー機構により阻止するが、連設開放位置で係合保持されるように構成している。
【００２０】
更に本発明のヒンジ装置Ｈについて説明すると、本実施例は、本体部である第一部材１に対して回動する蓋部である第二部材２に第二取付部８を固定し、この第二取付部８に回り止め状態に回動軸部１０を設け、この回動軸部１０にリング板状の回動部３を設けた構成としている。
【００２１】
一方第一部材１に固定する第一取付部７に対してローラ体で構成した係合突部５を弾性部材６を介して固定し、前記第一部材１に対して前記第二部材２を相対回動する際、前記係合突部５に対して前記回動部３が回動し、相対的に前記係合突部５が前記回動部３の外周部の弾性状態で回動接触部９に接触しつつ相対回動し、前記回動部３の外周部の前記係合凹部４に前記係合突部５が落ち込み係合した際、この相対回動位置が係合保持されるように構成している。
【００２２】
この係合突部５は対向位置に設けられており、この係合突部５に係合する前記係合凹部４を前記回動部３の外周部の９０度異なる対向位置に夫々設けている。
【００２３】
更に具体的に説明すれば、第二部材２に固定した第二取付部８に回り止め状態に回動軸部１０を設け、この回動軸部１０を第一部材１に固定した第一取付部７に回動自在に挿通配設し、この回動軸部１０に回動部３を回り止め状態に設け、第一部材１に対して第二部材２を回動すると、第一部材１に固定した第一取付部７に対して回動軸部９が回動して第一取付部７に対して固定する係合突部５に対して回動部３が回動するように構成している。
【００２４】
また、一方の第一取付部７に線杆をＵ字状に折曲した弾性部材６を固定し、この弾性部材６の内側（両端内側）に対向状態に前記係合突部５を設け、この弾性部材６の抗拡弾性により係合突部５の対向間隔を広げると戻り弾性が生じるように構成している。即ち、本実施例では、この弾性部材６の内側に取付ブラケット１１を設け、この取付ブラケット１１に係合突部５としてローラ体を遊転自在に軸着し、この弾性部材６の内側に突出した係合突部５の対向間隔が少し拡がるようにして前記回動部３の外周部にこの戻り弾性によって圧接するように構成している。即ち、係合突部５が係合する前記係合凹部４を外周部に設けた前記回動部３を前記弾性部材６の内側に配設し、前記係合突部５が前記回動部３の外周部の回動接触部９に当接した状態で前記抗拡弾性を有する弾性部材６の内方への戻り弾性によって、前記係合突部５は前記回動接触部９に弾圧当接し、前記係合突部５が前記係合凹部４に位置したときこの戻り弾性によって係合突部５は係合凹部４に落ち込み係合するように構成し、この係合突部５が係合凹部４から係脱する際には、前記抗拡弾性に抗して係脱して前記係合突部５が前記回動接触部９に再び弾圧当接するように構成している。
【００２５】
従って、第一部材１に対して第二部材２を回動させると、弾性部材６の両端内側に突設したローラ体で構成した一対の係合突部５に対して回動部３が回動し、この係合突部５は回動部３の外周面の回動接触部９に弾圧当接しつつ回動部３の回動に伴って回動部３の回動接触部９に接触しつつ転動し、係合突部５と係合凹部４とが一致したところで、この戻り弾性によって落ち込み係合してその回動位置がクリックされ、再び弾性部材６の戻り弾性と係合凹部４と係合突部５との係合による付勢（カム付勢）に抗して係合凹部４と係合突部５とを係脱させて第二部材２を回動すると、係合突部５は転動しつつ次の９０度異なる回動なる位置で再び係合突部５と係合凹部４とはクリックすることとなる。
【００２６】
即ち、本実施例では、第一部材１と第二部材２との重合閉塞位置と、第一部材１と第二部材２とが連設する９０度回動した開放位置で再びクリックするように構成している。
【００２７】
また本実施例では、係合突部５を設けた弾性部材６と回動部３とを押さえ込む押さえ部１２を係止片１３で第一取付部７に係止止めしている。
【００２８】
また、本実施例では、弾性部材６に直接係合突部５を設けた構成、即ち、係合突部５を設ける部材自体を弾性部材６としたが、回動部３に当接させる係合突部５に、この係合突部５を弾圧付勢させる弾性部材６を設けた構成としても良い。
【００２９】
尚、本発明は、本実施例に限られるものではなく、各構成要件の具体的構成は適宜設計し得るものである。
【００３０】
【発明の効果】
本発明は上述のように構成したから、係合付勢する構成としたとしても、従来通り所定回動位置で確実にクリックできると共に、クリック（係合保持）間では転がり接触による転がり抵抗となり、回動トルク（回動抵抗）をゼロに近くでき、そのため回動動作を軽く（スムーズに）でき、また磨耗が少なく耐久性にも秀れた画期的なヒンジ装置並びにヒンジ装置を用いた電子機器を提供することとなる。
【００３１】
また、請求項２，３，４，５記載の発明においては、一層本発明の作用・効果が良好に発揮され、簡易な構成で容易に実現可能となるなど極めて実用性に秀れた画期的なヒンジ装置となる。
【００３２】
また、請求項６記載の発明においては、前記作用・効果を発揮するヒンジ装置を用いた電子機器となる。
【図面の簡単な説明】
【図１】本実施例のヒンジ装置の分解斜視図である。
【図２】本実施例のヒンジ装置の組み付け斜視図である。
【図３】本実施例のカム部分の（係合凹部４と係合突部５との）係合を示す係合前の説明平面図である。
【図４】本実施例のカム部分の（係合凹部４と係合突部５との）係合を示す係合時の説明平面図である。
【図５】本実施例のカム部分の（係合凹部４と係合突部５との）係合を示す説明側面図である。
【図６】本実施例の電子機器（携帯電話）の重合閉塞状態の斜視図である。
【図７】本実施例の電子機器（携帯電話）の連設開放状態の斜視図である。
【図８】本実施例の電子機器（携帯電話）のヒンジ装置の説明断面図である。
【符号の説明】
１　第一部材
２　第二部材
３　回動部
４　係合凹部
５　係合突部
６　弾性部材
７　第一取付部
８　第二取付部
９　回動接触部
【図１】
2004023469.tif 000003
【図２】
2004023469.tif 000004
【図３】
2004023469.tif 000005
【図４】
2004023469.tif 000006
【図５】
2004023469.tif 000007
【図６】
2004023469.tif 000008
【図７】
2004023469.tif 000009
【図８】
2004023469.tif 000010